(57)【要約】【課題】形態変化後に他の動作を行い面白みのある形態変化玩具を提供すること。【解決手段】動力によって作動される第1動力伝達機構と、前記第１動力伝達機構に連結されて第１動作を行わせる第２動力伝達機構と、前記第１動力伝達機構に連結されて前記第１動作とは異なる第２動作を行わせる第３動力伝達機構と、前記第１動力伝達機構と前記第２動力伝達機構との連結と、前記第１動力伝達機構と前記第２動力伝達機構との連結とを交互に切り換える連結切換機構と、連結切換の際に、前記第１動作を行う第１形態と、前記第１動作とは異なる第２動作を行う第２形態とに切り換える形態切換機構とを備えている。【選択図】図５
2019146701.tif 000002
【特許請求の範囲】
【請求項１】
動力によって作動される第1動力伝達機構と、前記第１動力伝達機構に連結されて第１動作を行わせる第２動力伝達機構と、前記第１動力伝達機構に連結されて前記第１動作とは異なる第２動作を行わせる第３動力伝達機構と、前記第１動力伝達機構と前記第２動力伝達機構との連結と、前記第１動力伝達機構と前記第３動力伝達機構との連結とを交互に切り換える連結切換機構と、連結切換の際に、前記第１動作を行う第１形態と、前記第１動作とは異なる第２動作を行う第２形態とに切り換える形態切換機構とを備えたことを特徴とする形態変化玩具。
【請求項２】
前記連結切換機構には、第１動力伝達機構側の第１歯車に噛合する互いに歯数が異なる第２歯車及び第３歯車が隣設され、前記第２歯車と前記第３歯車との間には、前記第２歯車及び前記第３歯車の回転に伴って前記第２歯車に対して前記第３歯車を軸方向で離接させる確動カムが設けられ、前記第３歯車が前記第２歯車に接近した位置で前記第１動力伝達機構を前記第２動力伝達機構に連結させ、前記第３歯車が前記第２歯車から離間した位置で前記第１動力伝達機構を前記第３動力伝達機構に連結させるように構成されていることを特徴とする請求項１に記載の形態変化玩具。
【請求項３】
前記連結切換機構は、前記第３動力伝達機構によって作動され、前記第３動力伝達機構によって作動されて前記第２歯車から離間した位置に第３歯車をロックするとともに、前記第３動力伝達機構が所定の作動量に至ったときにロック解除するロック機構を備えることを特徴とする請求項２に記載の形態変化玩具。
【請求項４】
前記第１動作は歩行動作であることを特徴とする請求項１〜請求項３のいずれか一項に記載の形態変化玩具。
【発明の詳細な説明】
【技術分野】
【０００１】
本発明は形態変化玩具に関するものである。
【背景技術】
【０００２】
形態変化玩具として、人形の形態である第１の形態及び第１の形態とは異なる形態である第２の形態に、自動で又は遠隔操作により相互に変形可能なロボット玩具であって、第１の形態から第２の形態へ変形する変形手段と、第２の形態から第１の形態へ変形する変形手段と、第１の形態及び第２の形態のいずれの形態においても移動可能な移動手段と、を備えたものが知られている。
【先行技術文献】
【特許文献】
【０００３】
【特許文献１】特開２０１４−１４４２１１号公報
【発明の概要】
【発明が解決しようとする課題】
【０００４】
しかしながら、上記形態変化玩具においては、動作の観点から見ると、形態の変化の前後において走行をするだけなので、面白みに欠けるという問題がった。
【０００５】
本発明は、形態変化後に他の動作を行い面白みのある形態変化玩具を提供することを目的としている。
【課題を解決するための手段】
【０００６】
第１の手段は、
動力によって作動される第1動力伝達機構と、前記第１動力伝達機構に連結されて第１動作を行わせる第２動力伝達機構と、前記第１動力伝達機構に連結されて前記第１動作とは異なる第２動作を行わせる第３動力伝達機構と、前記第１動力伝達機構と前記第２動力伝達機構との連結と、前記第１動力伝達機構と前記第２動力伝達機構との連結とを交互に切り換える連結切換機構と、連結切換の際に、前記第１動作を行う第１形態と、前記第１動作とは異なる第２動作を行う第２形態とに切り換える形態切換機構とを備えたことを特徴とする。
【０００７】
第２の手段は、第１の手段において、
前記連結切換機構には、第１動力伝達機構側の第１歯車に噛合する互いに歯数が異なる第２歯車及び第３歯車が隣設され、前記第２歯車と前記第３歯車との間には、前記第２歯車及び前記第３歯車の回転に伴って前記第２歯車に対して前記第３歯車を軸方向で離接させる確動カムが設けられ、前記第３歯車が前記第２歯車に接近した位置で前記第１動力伝達機構を前記第２動力伝達機構に連結させ、前記第３歯車が前記第２歯車から離間した位置で前記第１動力伝達機構を前記第３動力伝達機構に連結させるように構成されていることを特徴とする。
【０００８】
第３の手段は、第２の手段において、前記連結切換機構は、前記第３動力伝達機構によって作動され、前記第３動力伝達機構によって作動されて前記第２歯車から離間した位置に第３歯車をロックするとともに、前記第３動力伝達機構が所定の作動量に至ったときにロック解除するロック機構を備えることを特徴とする。
【０００９】
第４の手段は、第１の手段〜第３の手段のいずれか一の手段において、前記第１動作は歩行動作であることを特徴とする。
【発明の効果】
【００１０】
第１の手段によれば、自動で形態変化を行うとともに、形態変化の前後で動作が変化するので、意外性があり、面白い形態変化玩具が実現できる。
【００１１】
第２の手段によれば、同じ歯車に噛合する歯数の異なる２つの歯車によって確動カムを作動させ、２つの歯車の一方を他方の歯車に対して離接させるので、構造が簡素な連結切換機構が実現できる。
【００１２】
第３の手段によれば、確動カムとは異なる第３動力伝達機構の作動量によって第２動作の長さを簡単に調整できることになる。
【００１３】
第４の手段によれば、形態変化に伴って歩行と歩行以外の動作を交互に行わせることができる。
【図面の簡単な説明】
【００１４】
【図１】形態変化玩具の一実施形態を示した斜視図である。
【図２】形態変化玩具の形態変化後の状態を示した斜視図である。
【図３】形態変化玩具の一部切欠き斜視図である。
【図４】動力伝達機構の斜視図である。
【図５】動力切換機構及び連結切換機構を示した斜視図である。
【図６】ロック機構を示した斜視図である。
【図７】脚部の作動機構を示した斜視図である。
【図８】尾部揺動機構を示した斜視図である。
【図９】第１首部揺動機構を示した模式図である。
【図１０】第２首部揺動機構を示した模式図である。
【図１１】翼部揺動機構を示した斜視図である。
【図１２】翼部揺動機構にて翼部を胴部に添わせた状態を示した断面図である。
【図１３】翼部揺動機構にて翼部を首部に添わせた状態を示した断面図である。
【発明を実施するための形態】
【００１５】
以下、本発明に係る形態変化玩具を図面に示した実施形態に基づいて説明する。
【００１６】
図１および図２に示した形態変化玩具１は、恐竜のブラキオザウルスを模したもので、胴部２，脚部３，頭部を含む首部４，翼部５，尾部６等の各構成部分を有している。そして、この形態変化玩具１は、胴部２にモータ等の動力源，歯車機構等を備えている。この形態変化玩具１は、図１に示した状態で、動力源によって脚部３，首部４および尾部６を作動しながら前進し、所定歩数だけ歩行した後にその場所に停止する。続いて、図２に示すように、首部４が下方に傾倒し、そこで翼部５が首部４に添うように回動され、続いて首部４が翼部５を伴って上下動する。この首部４の上下動を所定数繰り返して1サイクルが完了する。以後はこれを繰り返す。
【００１７】
動力伝達系１０は、図3に示すように、胴部２に内装されている。この動力伝達系１０は、図４に示すように、動力源としてのモータ１１の出力歯車（ウオーム歯車）１１ａが出力軸に対して直角方向に延びる軸１２の大歯車１２ａに噛合され、当該大歯車１２ａと一体な小歯車１２ｂが、軸１２に並列する軸１３の大歯車１３ａに噛合する。また、この大歯車１３ａと一体な小歯車１３ｂが、軸１３と並列な軸１４の大歯車１４ａに噛合する。この大歯車１４ａでは同軸に幅の広い小歯車１４ｂが形成されている。その小歯車１４ｂには軸１４に並列する軸１５の歯車１５ａに噛合する。この歯車（摺動歯車）１５ａは軸１５に対して軸方向に摺動可能に配置されている。一方、軸１５には歯車１５ｂが固定されている。これらの歯車１５ａと歯車１５ｂとは、互いに歯数が異なっている。そして、歯車１５ａと歯車１５ｂの対向するそれぞれの面にカム１５ｃ，１５ｄが形成されている。また、歯車１５ａと一体的に小歯車１５ｅ（選択歯車）が形成されており、それらの歯車１５ａ，１５ｅは、スプリング１５ｆによって歯車１５ｂ方向に付勢されている。
【００１８】
そして、この動力伝達系１０では、モータの動力が歯車１１ａ，１２ａ，１２ｂ，１３ａ，１３ｂ，１４ａ，１４ｂを介して歯車１５ａ，１５ｂ，１５ｅに伝達される。なお、第１動力伝達機構Ａは歯車１１ａ，１２ａ，１２ｂ，１３ａ，１３ｂ，１４ａ，１４ｂを含んで構成されている。
【００１９】
この状態では、歯車１５ｅ（選択歯車）は、クランク軸１６の歯車１６ａに噛合している。この歯車１６ａは、脚部３を作動させるための第２動力伝達機構Ｂの一部を構成するもので、軸１６の両端には、円盤１６ｂが形成され、その円盤１６ｂの外面には偏心軸１６ｃがそれぞれ突設されている。なお、第２動力伝達機構は歯車１６a，円盤１６ｂ及び偏心軸１６ｃを含んで構成されている。
【００２０】
第１動力伝達機構Ａの歯車１４ｂによって、歯車１５ａおよび歯車１５ｂが回転されるが、それらは歯数が異なっているため、徐々に相対的なずれが生じる。したがって、歯車１５ｅはカム１５ｃ，１５ｄによってスプリング１５ｆの付勢力に抗して徐々に移動され、ついには歯車１６ａから離脱し、歯車１７ａに噛合される。この歯車１７ａは第３動力伝達機構Ｃの一部を構成するものである。なお、歯車１５ａ，１５ｅ、カム１５ｃ，１５ｄ及びスプリング１５ｆは連結切換機構を構成している。
【００２１】
第３動力伝達機構Ｃでは、歯車１７ａが、軸１７に並列する軸１８の歯車１８ａに噛合し、同軸に一体的に設置された歯車１８ｂがクラウン歯車１９ａに噛合する。このクラウン歯車１９ａは軸１９に歯車１９ｂを備えており、当該歯車１９ｂは中間歯車２０ａ，２１ａ，２２ａを介して最終歯車２３ａに接続される。なお、第３動力伝達機構は歯車１７ａ〜最終歯車２３ａを含んで構成されている。
【００２２】
上記動力伝達系１０では、動力が第１動力伝達機構Ａを経て第２動力伝達機構Ｂに伝達され、それによって脚部３を作動させる。そして、後述するタイミングで、脚部３への動力伝達が断たれ、第３動力伝達機構Ｃによって最終歯車２３ａが作動され、その最終歯車２３ａを介して他の構成部品、例えば首部４，翼部５が作動される。その際、最終歯車２３ａによってタイミングが図られる。
【００２３】
図５および図６は、第１動力伝達機構Ａに接続されている第２動力伝達機構Ｂを断って、第１動力伝達機構Ａを第３動力伝達機構Ｃに接続させ、その状態を所定時間維持するためのロック機構３０を示している。なお、ロック機構３０は連結切換機構の一部を構成している。
このロック機構３０は、図５に示したように、歯車１５ａの軸１５と平行な方向に移動するスライド体３１を備えている。このスライド体３１は、片３１ａ，３１ｂを備え、それらの片３１ａ，３１ｂで歯車（摺動歯車）１５ａを挟み込でいる。そして、このスライド体３１は、スプリング３２によって常時歯車１５ｂの方向に付勢されている。
【００２４】
歯車１５ａがカム１５ｃ，１５ｄによってスプリング１５ｆの付勢力に抗して移動されると、それに伴ってスライド体３１もスプリング３２の付勢力に抗して図５における右方へ移動される。
【００２５】
スライド体３１は、歯車１５ａ，１５ｂのカム１５ｃ,１５ｄが谷に達すると元の位置に復帰するが、移動したところに所定時間（最終歯車２３ａが１回転するまでの時間）留まるように、スライド体３１の移動方向に対して直角な方向に移動するロック片３３を備えている(図６参照)。このロック片３３は爪３３ａを有しており、スプリング３４によって爪３３ａがスライド体に向けて移動するように付勢されている。一方、スライド体３１の端面には、切欠き３１ｃが形成されており、ロック片３３の爪３３ａが切欠き３１ｃに挿入されてスライド体３１をスプリング３２の付勢力に抗して移動した位置に止める。
【００２６】
また、ロック機構３０はロック片３３のロックを解除するためにロック解除片３５を備えている。このロック解除片３５は、一端３５ａがロック片３３の先端に係合し、他端３５ｂが第３動力伝達機構Ｃの最終歯車２３ａの周面に形成された突起２３ｂに当接している。
【００２７】
そして、このロック機構３０によれば、スライド体３１がスプリング３２の付勢力に抗して移動されると、ロック片３３の爪３３ａが切欠き３１ｃに突入し、スライド体３１の復帰を阻止する。その結果、歯車１５ｅが歯車１７ａに噛合った状態で保持される。即ち第１動力伝達機構Ａが第３動力伝達機構Ｃに接続された状態に維持される。
第３動力伝達機構Ｃの最終歯車２３ａの周面の突起２３ｂがロック解除片３５を作動させると、ロック解除片３５の先端３５ａは、ロック片３３をスプリング３４の付勢力に抗して後退させる。したがって、スライド体３１のロックが解除されるため、スライド体３１はスプリング３２の付勢力によって復帰される。即ち歯車１５ａは元の状態に復帰され、それに伴って歯車１５ｅは歯車１７ａから離れ、歯車１６ａに噛合される。
【００２８】
即ち、この動力伝達系１０では、動力が第１動力伝達機構Ａから第２動力伝達機構Ｂに伝達され、それによって偏心軸１６ｃを回転させ、後述する脚部３の歩行がなされる。その間に、カム１５ｃ，１５ｄによる歯車１５ａの移動によって第１動力伝達機構Ａは第２動力伝達機構Ｂとの接続が断たれ、第３動力伝達機構Ｃに切換えられ、その状態はロック片３３によって保持される。そして、第３動力伝達機構Ｃにおける最終歯車２３ａの回転によってその突起２３ｂでロック解除片３５が作動される。すると、ロック片３３のロックが解除されるため、歯車１５ａは復帰し、それによって第１動力伝達機構Ａが再び第２動力伝達機構Ｂに接続される。
【００２９】
図７は脚部作動機構４０を示している。脚部３は、左右前脚４１,左右後脚４２によって構成されている。左右前脚４１は中間部が胴部２に突設された偏心軸１６ｃに回動自在に支持され、上端部が胴部２に固設した軸４３に長孔４１ａを介して回動自在に支持されている。一方、左右後脚４２は、中間部が軸４４によって胴部３に回動自在に支持されている。そして、左右前脚４１の中間部と左右後脚４２の上部が連結体４５によって互いに連結されている。
【００３０】
この脚部作動機構４０によれば、動力によって回転される偏心軸１６ｃによって前脚４１が揺動される。このような前脚４１の動作は、連結体４５を介して後脚４２の上部に伝達され、後脚４２が軸４４を中心に揺動される。したがって、前脚４１が前方方向に揺動されたときには、後脚４２は後方に揺動される。
【００３１】
ところで、この脚部作動機構４０では、左右の前脚４１の偏心軸１６ｃの偏心位置は、互いに１８０度の位相差をもって位置されている。即ち、左前脚４１が前方に揺動されるときには、右前脚４１が後方に揺動される。これを繰り返すことによって形態変化玩具１は前進する。
【００３２】
この形態変化玩具１では、尾部６を左右に揺動させる尾部揺動機構５０を備えている。尾部６の前端は、図８に示したように軸５１によって左右方向に回動自在に支持されている。そして、尾部６の前端左右側面は、連結体４５の後端４５ａが連結されている。
【００３３】
この尾部揺動機構５０によれば、左右の連結体４５が交互に前後方向に移動するため、それぞれの連結体４５の後端４５ａによって左右に振られる。
【００３４】
また、この形態変化玩具１では、図９に示すように、首部４を上下に振る第１首部揺動機構６０を備えている。首部４は基端に円盤４ａを有している。そして、円盤４ａは中心が軸６１によって胴部２に回動自在に支持されている。この円盤４ａには周縁に軸４ｂが突出形成されている。この軸４ｂには連結棒６２の一端６２ａが回動自在に支持されている。連結棒６２の他端部にはピン６３が設けられている。連結棒６２は後方に位置する第３動力伝達機構Ｃの最終歯車２３ａまで延設されている。最終歯車２３ａの上面には、カム６４が形成されている。そして、連結棒６２はスプリング６５によって最終歯車２３ａの方向に付勢され、ピン６３がカム６３に当接されている。
【００３５】
この第１首部揺動機構６０によれば、連結棒６２がカム６４の形状に倣って首部４の方向に出退する。連結棒６２が首部４の方向（図９において左方）に突出すると、円盤４ａは軸６１を中心に図９において時計方向に回動され、首部４を上動させる。反対に、連結棒６２が歯車２３ａ方向（図９において右方）に移動すると、円盤４ａは軸６１を中心に図９において反時計方向に回動され、首部４を下動させる。
【００３６】
また、この形態変化玩具１では、図１０に示すように、上記第１首部揺動機構６０とは別に第２首部揺動機構７０を備えている。この首部揺動機構７０は、軸７１によって胴部２にレバー７２が回動自在に支持されている。このレバー７２の一端部には長孔７２ａが形成されている。そして、長孔７２ａには連結体４５の前端に配設されたピン４５ａが挿入されている。一方、首部４の基端の円盤４ａには、ピン４ｃが設けられている。そして、このピン４ｃには、レバー７２の他端７２ｂが当接されている。
【００３７】
この第２首部揺動機構７０によれば、連結体４５ｂの変位に応動してレバー７２が図１０において時計方向に回動される。すると、ピン４ｃの規制が解放されるため、首部４はその自重によって下方に回動される。
また、連結体４５ｂが反対方向へ移動すると、レバー７２が図１０において反時計方向に回動される。それによって、ピン４ｃを介して円盤４ａが反時計方向に回動され、それによって首部４が上方へ回動される。
【００３８】
また、この形態変化玩具１では、図１１及び図１２に示すように、翼部５を左右に揺動させる翼部揺動機構８０を備えている。
この翼部揺動機構８０は、軸６１に円盤８１が回動自在に保持されている。この円盤８１には、軸８２が回動自在に配設されており、軸８２には歯車８３および翼部５の基部５ａが固設されている。軸８２は円盤８１のブラケット８１ａに回転自在に支持されている。
【００３９】
また、翼部揺動機構８０では、図１２および図１３に示すように、円盤８１にスライド体８４が配設されている。このスライド体８４にはラック８４ａが形成されており、当該ラック８４ａは歯車８３に噛合している。そして、このスライド体８４は図１１に示すスプリング８５によって常時後方に付勢され、図示しないストッパによって円盤８１内に留められている。
【００４０】
また、胴部２にはスライド体８６が配設されている。このスライド体８６の先端はスライド体８４の後端面に対向して設置されている。
一方、最終歯車２３ａに近接してレバー８７の一端が支持され、レバー８７は、最終歯車２３ａの下面に平行に移動される。このレバー８７の中間部下面にはピン（図示せず）が突設され、そのピンは最終歯車２３ａの下面に形成された溝カム８８に挿入されている。そして、レバー８７の先端はスライド体８６に連結されている。
【００４１】
この翼部揺動機構８０では、翼部５が胴部２に添っている状態にあるときに、最終歯車２３ａの溝カム８８によってレバー８７が前方に作動され、図１２に示したように、スライド体８６の先端を前方に押し出した状態になる。これによって、スライド体８４が前方に押し込まれ、ラック８３ａが前方に移動される。
【００４２】
この状態で、最終歯車２３ａの溝カム８８によってレバー８７が退避（図１２において右方に移動）されると、それに伴ってスライド体８６が後方へ移動する。したがって、スライド体８４がスプリング８５の付勢力によって後方に移動し、それに伴ってラック８４ａが後方に移動して歯車８３が回転され、翼部５が外方回動され、そして首部４に添った位置まで回動される（図１１参照）。
【００４３】
本実施形態の形態変化玩具１では、先ず、動力によって作動される動力伝達機構Ａによって動力伝達機構Ｂが作動され（図４参照）、それによって脚部３が作動されて歩行し、その際に作動される連結体４５によって首部４が上下動され（図７，図１０参照）、尾部６が左右方向に揺動される（図８参照）。このようにして、脚部３が所定歩数だけ歩行すると、動力伝達機構Ａが動力伝達機構Ｂから離れ、動力伝達機構Ｃに接続する。したがって、歩行は停止し、動力伝達機構Ｂの最終歯車２３ａに依存する首部４の上下動（図９参照），翼部５の前方への展開（図１１〜１３図参照）が行われる。翼部５の前方への展開は、首部４が最下点に達した際に行われ、その後は翼部５は首部４に添った状態で数回（２〜３回）上下動する。このようにして、１サイクルが終了し、その後は上記動作が繰り返される。
【００４４】
上記実施形態の形態変化玩具１では、脚部３の動作に連動して首部４および尾部６が作動される。その場合、首部４の上下動幅は連結体４５の運動およびレバー７２の長さ、長孔７２ａの形状等による。
また、最終歯車２３ａのカム６４，８８によって作動される首部４の上下動幅，翌部５の開閉タイミング等はカムの６４，８８の形状によって決定される。
【００４５】
また、実施形態の形態変化玩具１での動力切換機構は、入力側の歯車１４ｂに噛合する歯数の異なる２枚の歯車１５ａ，１５ｂを有し、それらの歯車の一方の歯車（摺動歯車）１５ａを軸１５に対して軸方向に摺動自在に設置し、それらの歯車１５ａ，１５ｂの相対向する面にカム１５ｃ，１５ｄを形成し、出力歯車（選択歯車）１５ｅと歯車１５ａとを一体化するとともに、軸１５に対して平行に配設した軸１６，１７に適宜間隔をもって２枚の歯車（被選択歯車）１６ａ，１７ａを配設して構成される。そして、入力側の歯車１４ｂによって回転される歯車１５ａ，１５ｂの回転差によって生じるカム作用によって摺動歯車１５ａ,１５ｅが軸方向に移動され、選択歯車１５ｅが現在噛合っている歯車１６ａから離反し、被選択歯車１７ａに噛合う。
【００４６】
なお、被選択歯車１６ａ，１７ａの間隔を適宜に設定することによって、選択歯車１５ｅを被選択歯車１６ａ，１７ａに択一的に噛合させることも、一時的に両歯車１６ａ，１７ａ同時に噛合させることもできる。
【００４７】
なお、上記実施形態は、一態様を示したもので、各構成部品を作動量，タイミング等を任意に設定することができることは言うまでもない。
【符号の説明】
【００４８】
１    形態変化玩具
３    脚部
４    首部
５    翼部
６    尾部
１０    動力伝達系
１４ｂ    歯車(第１歯車)
１５ａ    歯車（第３歯車）
１５ｂ    歯車(第２歯車)
１５ｃ，１５ｄ    カム
１５ｅ    小歯車（選択歯車）
１５ｆ    スプリング
３０    ロック機構
３１    スライド体
４０    脚部作動機構
５０    尾部揺動機構    
６０    第１首部揺動機構
７０    第２首部揺動機構
８０    翼部揺動機構  
【図１】
2019146701.tif 000003
【図２】
2019146701.tif 000004
【図３】
2019146701.tif 000005
【図４】
2019146701.tif 000006
【図５】
2019146701.tif 000007
【図６】
2019146701.tif 000008
【図７】
2019146701.tif 000009
【図８】
2019146701.tif 000010
【図９】
2019146701.tif 000011
【図１０】
2019146701.tif 000012
【図１１】
2019146701.tif 000013
【図１２】
2019146701.tif 000014
【図１３】
2019146701.tif 000015
【手続補正書】
【提出日】平成31年4月26日(2019.4.26)
【手続補正１】
【補正対象書類名】明細書
【補正対象項目名】０００６
【補正方法】変更
【補正の内容】
【０００６】
第１の手段は、
動力によって作動される第1動力伝達機構と、前記第１動力伝達機構に連結されて第１動作を行わせる第２動力伝達機構と、前記第１動力伝達機構に連結されて前記第１動作とは異なる第２動作を行わせる第３動力伝達機構と、前記第１動力伝達機構と前記第２動力伝達機構との連結と、前記第１動力伝達機構と前記第３動力伝達機構との連結とを交互に切り換える連結切換機構と、連結切換の際に、前記第１動作を行う第１形態と、前記第１動作とは異なる第２動作を行う第２形態とに切り換える形態切換機構とを備え、前記連結切換機構は、前記第１動力伝達機構と前記第３動力伝達機構とを連結させたときに前記第１動力伝達機構と前記第３動力伝達機構との連結状態から前記第１動力伝達機構と前記第２動力伝達機構との連結状態への移行を阻止し、前記第３動力伝達機構が所定の作動量に至ったときに前記第３動力伝達機構の動力によって阻止を解除して前記第１動力伝達機構と前記第２動力伝達機構とを連結させることを特徴とする。
【手続補正２】
【補正対象書類名】特許請求の範囲
【補正対象項目名】全文
【補正方法】変更
【補正の内容】
【特許請求の範囲】
【請求項１】
動力によって作動される第1動力伝達機構と、前記第１動力伝達機構に連結されて第１動作を行わせる第２動力伝達機構と、前記第１動力伝達機構に連結されて前記第１動作とは異なる第２動作を行わせる第３動力伝達機構と、前記第１動力伝達機構と前記第２動力伝達機構との連結と、前記第１動力伝達機構と前記第３動力伝達機構との連結とを交互に切り換える連結切換機構と、連結切換の際に、前記第１動作を行う第１形態と、前記第１動作とは異なる第２動作を行う第２形態とに切り換える形態切換機構とを備え、前記連結切換機構は、前記第１動力伝達機構と前記第３動力伝達機構とを連結させたときに前記第１動力伝達機構と前記第３動力伝達機構との連結状態から前記第１動力伝達機構と前記第２動力伝達機構との連結状態への移行を阻止し、前記第３動力伝達機構が所定の作動量に至ったときに前記第３動力伝達機構の動力によって阻止を解除して前記第１動力伝達機構と前記第２動力伝達機構とを連結させることを特徴とする形態変化玩具。
【請求項２】
前記連結切換機構には、第１動力伝達機構側の第１歯車に噛合する互いに歯数が異なる第２歯車及び第３歯車が隣設され、前記第２歯車と前記第３歯車との間には、前記第２歯車及び前記第３歯車の回転に伴って前記第２歯車に対して前記第３歯車を軸方向で離接させる確動カムが設けられ、前記第３歯車が前記第２歯車に接近した位置で前記第１動力伝達機構を前記第２動力伝達機構に連結させ、前記第３歯車が前記第２歯車から離間した位置で前記第１動力伝達機構を前記第３動力伝達機構に連結させるように構成されていることを特徴とする請求項１に記載の形態変化玩具。
【請求項３】
前記連結切換機構は、前記第３動力伝達機構によって作動され、前記第３動力伝達機構によって作動されて前記第２歯車から離間した位置に第３歯車をロックするとともに、前記第３動力伝達機構が所定の作動量に至ったときにロック解除するロック機構を備えることを特徴とする請求項２に記載の形態変化玩具。
【請求項４】
前記第１動作は歩行動作であることを特徴とする請求項１〜請求項３のいずれか一項に記載の形態変化玩具。